(57)【要約】【課題】クリーンルーム等で着用するガーメントを清浄状態に維持し、保管するガーメントストッカーを提供する。【解決手段】ケーシング６に前面側開口部７を開口すると共に、該ケーシング６内に清浄空間１３を備えた仕切板１４を固定し、且つ該仕切板１４とケーシング６間に通気空間１５を形成する一方、前記仕切板１４の天板１２に清浄空気供給部１９が設置され、前記ケーシング６の底板４の前端縁と仕切板１４の前端縁間には吸引開口２３が形成されると共に、該吸引開口２３の下流側に袋型粗塵フィルタ２５を設置し、且つ前記仕切板１４の底板１１に穿設された多数の排気小孔２９の下面に脱臭材３０が配設され、更にケーシング６の前面側開口部７にカーテン３５が開閉可能に吊持され、該カーテン３５はケーシング６の前面側開口部７の高さよりやや短くして下部開口３６を形成する。【選択図】図２
2008039270.tif 000002
【特許請求の範囲】
【請求項１】
方形箱状のケーシングの、少なくとも前面板に前面側開口部を枠状に開口すると共に、前記ケーシング内に、清浄空間を備えた仕切板を内設固定し、前記仕切板と前記ケーシング間に通気空間を形成する一方、前記仕切板の天板には通気開口が開口されると共に、該通気開口上にＨＥＰＡフィルタと送風機とを一体とした清浄空気供給部が設置され、
更に、前記仕切板の底板は上方に開放可能に形成され、且つ前記ケーシングの底板の前端縁と、該仕切板の前端縁間には吸引開口が形成されると共に、該吸引開口の下流側には袋型粗塵フィルタが設置され、且つ該袋型粗塵フィルタの下流側であって、且つ前記仕切板の底板に穿設された多数の排気小孔の下面に脱臭材が配設される一方、前記清浄空間の上方部には、ガーメントを吊り下げる吊り下げ棒が支架固定されると共に、前記ケーシングの前面側開口部には、カーテンが開閉可能に吊持され、且つ該カーテンは前記ケーシングの前面側開口部の高さよりやや短くして下部開口を形成したことを特徴とするガーメントストッカー。
【請求項２】
請求項１記載のガーメントストッカーにおいて、吊り下げ棒に、同一間隔を有して多数の凹部を形成したことを特徴とするガーメントストッカー。
【請求項３】
請求項１記載のガーメントストッカーにおいて、通気開口上にＨＥＰＡフィルタと送風機とを一体とした清浄空気供給部に代えて、前記通気開口上にＨＥＰＡフィルタを設置すると共に、通気空間下端部に送風機を、前記ＨＥＰＡフィルタと分離して設置して清浄空気供給部としたことを特徴とするガーメントストッカー。
【発明の詳細な説明】
【技術分野】
【０００１】
本発明は、クリーンルーム等で着用するガーメント（無塵衣）を清浄状態に維持し、収納するガーメントストッカーに関するものである。
【背景技術】
【０００２】
クリーンルーム等で着用するガーメントを清浄状態で収納しておく目的で、ガーメントを収納する収納空間内へ清浄空気を送り込んだガーメントストッカーが実用に供されている。そして、前記従来実用に供されているガーメントストッカーは、収納空間上部にＨＥＰＡフィルタと送風機を設置し、収納空間内部に清浄空気を送り込むことにより、収納空間内の清浄度を維持している。また、収納空間前面にはビニールカーテン等で仕切りを付けることにより陽圧空間にし、下部の隙間より清浄空気を外に排出するよう構成されている。
【０００３】
また、過去の特許文献を遡及検索すると、下記の特許文献１に開示されたものが公知である。すなわち、特許文献１に記載されたものは、内部にガーメント収納空間を形成し、該収納空間の前面にはガーメントを出し入れするための開口部を形成すると共に、該収納空間の天井部には空気清浄フィルタおよび清浄空気の吹出し部を設け、且つ収納空間の床部および外部に設けた空気取入れ口を通じて吸入した空気を前記空気清浄フィルタに圧送する送風手段を設け、更に、前記収納空間開口部に沿って流下するエアカーテン気流を生成する手段を設けたことを特徴とする前面開放型ガーメントストッカーである。
【０００４】
【特許文献１】特開平１０−１７４６２６号公報
【発明の開示】
【発明が解決しようとする課題】
【０００５】
前記従来実用に供されているガーメントストッカーでは、収納空間内の気流は全て下部の隙間方面へ流れ背面に死角ができてしまうという課題があった。また、オールフレッシュ方式のため、収納空間から常時空気が流出しており、ガーメントに付着した塵埃や臭気が、周囲に拡散されてしまうという課題があった。
【０００６】
更に、前記特許文献１記載のものは、ビニールカーテンのような遮蔽部材が存在しないため、ガーメントの出し入れを容易に行うことができると共に、エアーカーテン気流によって開口部から収納空間内への塵埃の侵入が阻止されることに加え、天井部から収納空間内に吹出された空気は床部の空気取入れ口から空気清浄フィルタに再循環されるため、収納空間内から外部への空気の流出と、それに伴う塵埃や臭気の外部への流出が抑制されるという効果を奏するが、該収納空間内の臭気を除去する手段が備えられていないので、前記収納空間内の臭気およびガーメントに付着した作業者の体臭を除去することができないという課題があり、また、ガーメントをパイプハンガーに吊持する場合、ガーメント同士の干渉を防止するプレート状のセパレータが取付けられているが、吊持されたガーメントが該セパレータに密着した場合、その部分に清浄空気が行き渡らず、該清浄空気をガーメントに浸透させることができないという課題があった。
【０００７】
本発明は、前記課題を解決すべくなされたもので、ガーメント収納空間内部を清浄に保ちつつ、ストッカー周囲の環境に対しても埃が溜まりにくい環境を作ると共に、ガーメントに付着した人体臭気も除去でき、更に各ガーメントを一定の間隔を有して吊下げ棒に吊持することにより、各ガーメントが密着するのを阻止して、清浄空気を各ガーメント全面に浸透させることができるガーメントストッカーを提供しようとするものである。
【課題を解決するための手段】
【０００８】
本発明は、方形箱状のケーシングの、少なくとも前面板に前面側開口部を枠状に開口すると共に、前記ケーシング内に、清浄空間を備えた仕切板を内設固定し、前記仕切板と前記ケーシング間に通気空間を形成する一方、前記仕切板の天板には通気開口が開口されると共に、該通気開口上にＨＥＰＡフィルタと送風機とを一体とした清浄空気供給部が設置され、
更に、前記仕切板の底板は上方に開放可能に形成され、且つ前記ケーシングの底板の前端縁と、該仕切板の前端縁間には吸引開口が形成されると共に、該吸引開口の下流側には袋型粗塵フィルタが設置され、且つ該袋型粗塵フィルタの下流側であって、且つ前記仕切板の底板に穿設された多数の排気小孔の下面に脱臭材が配設される一方、前記清浄空間の上方部には、ガーメントを吊り下げる吊り下げ棒が支架固定されると共に、前記ケーシングの前面側開口部には、カーテンが開閉可能に吊持され、且つ該カーテンは前記ケーシングの前面側開口部の高さよりやや短くして下部開口を形成するという手段を採用することにより、上記課題を解決した。
【発明の効果】
【０００９】
請求項１記載の発明によれば、ガーメント収納空間内部を清浄に保ちつつ、ストッカー周囲の環境に対しても埃が溜まりにくい環境を作ることができると共に、ガーメントに付着した人体臭気も除去できる。
請求項２記載の発明によれば、各ガーメントを一定の間隔を有して吊下げ棒に吊持することにより、各ガーメントが密着するのを阻止して、清浄空気を各ガーメント全面に浸透させることができる。
【実施例１】
【００１０】
本発明の実施例１を図面に基づいて詳細に説明すると、本発明ガーメントストッカーは、前面板１、両側板２、背板３、底板４および天板５より成る方形箱状のケーシング６の前面板１および両側板２の上方側の一部を残して、前面側開口部７および側面側開口部８を枠状に開口すると共に、前記ケーシング６内に、該ケーシング６より小さく形成され、且つ前面に前記前面側開口部７に連なる連通開口部９を設けると共に、背板１０、底板１１および天板１２に囲繞された清浄空間１３を備えた、断面コ字状の仕切板１４を内設固定する。
【００１１】
なお、本実施例においては、前面板１および両側板２に、前面側開口部７および側面側開口部８が枠状に開口さているが、少なくとも前面板１に、前面側開口部７が形成されておればよい。
【００１２】
そして、前記仕切板１４の底板１１、背板１０および天板１２と、前記ケーシング６の底板４、背板３および天板５間には通気空間１５が形成され、更に該仕切板１４の天板１２には通気開口１６が開口され、該通気開口１６上には、ＨＥＰＡフィルタ１７および送風機１８を一体とした清浄空気供給部１９が設置されることにより、該清浄空気供給部１９を陰圧構造とすると共に、前記通気開口１６の下流側には、多数の均等な噴き出し孔２０を穿設したパンチング板２１が間隔を有して配設固定されて、該清浄空気供給部１９から通気開口１６を経て清浄空気２２が均等に清浄空間１３内に送気されるよう形成されている。
【００１３】
更に、前記仕切板１４の底板１１は背板１０側を支点として上方に開放可能に形成され、且つ前記ケーシング６の底板４の前端縁と、該仕切板１４の前端縁間には、空気を吸引する吸引開口２３が形成されると共に、該吸引開口２３には格子状の通気柵２４が配設され、且つ該通気柵２４の下流側には、埃や粉塵を捕集除去する袋型粗塵フィルタ２５が設置されている。
【００１４】
また、前記袋型粗塵フィルタ２５の下流側の底板４上には、空隙部２６を有して通気口２７を備えた通気板２８がそれぞれ立設固定され、且つ該各通気板２８間の空隙部２６に、該空隙部２６上の底板１１に穿設された多数の排気小孔２９を介して、前記清浄空間１５内の清浄空気２２の一部を排気して臭気を脱臭するための脱臭用活性炭等の脱臭材３０が配設されている。
【００１５】
なお、前記袋型粗塵フィルタ２５および脱臭材３０は底板１１を開放することにより、新しい袋型粗塵フィルタ２５および脱臭材３０と取り換えることができる。
【００１６】
また、前記ケーシング６を構成する両側板３の上方部には、ガーメントＧを掛けたハンガー３１のフック３２を掛止する凹部３３を一定間隔で凹設した吊り下げ棒３４が支架固定されていると共に、前記ケーシング６の前面側開口部７および側面側開口部８には、ビニールシート等より成るカーテン３５が開閉可能に吊持されている。なお、前記ケーシング６に側面側開口部８がなく、前面側開口部７のみしかない場合は、前面側開口部７にのみカーテン３５を吊持すればよい。
【００１７】
前記前面側開口部７のカーテン３５は、ケーシング６の前面側開口部７の高さよりやや短く形成され、該カーテン３５の底縁部とケーシング６の底板４との間に設けられた下部開口３６から、清浄空間１５内の清浄空気２２の一部を排気して、前記下部開口３６の下方部の吸引開口２３から通気柵２４を通して、前記排気された清浄空気２２、および本発明ガーメントストッカーを設置したルームの空気を合わせて吸引するよう構成されている。これにより、本発明ガーメントストッカーを設置したルーム自体を埃の溜まりにくい環境とすることができる。
【００１８】
前記構成より成る本発明の実施例１の作用について説明する。前面側開口部７のカーテン３５を開けてガーメントＧを掛けたハンガー３１のフック３２を吊り下げ棒３４の凹部３３に掛止すると、該凹部３３は一定間隔で凹設されているため、複数のガーメントＧを掛止しても、各ガーメントＧは互いに接触することがなく、各ガーメントＧ間に通気空間が確保される。
【００１９】
そして、前記カーテン３５を閉めて、清浄空気供給部１９を作動させると、送風機１８より噴き出された空気はすべてＨＥＰＡフィルタ１７を通り、清浄空気２２をパンチング板２１上に噴き出す。前記ＨＥＰＡフィルタ１７から噴き出された清浄空気２２は、下流側の多数の均等な噴き出し孔２０を穿設したパンチング板２１を通って、整流された清浄空気２２となって、清浄空間１３へ噴き出す。
【００２０】
前記清浄空間１３へ噴き出された清浄空気２２によって、該清浄空間１３内を清浄状態に保つことができるので、ガーメントＧを清浄状態で保管することができると共に、該ガーメントＧの体臭等の臭気を除去することができる。
【００２１】
一方、前記清浄空間１３内に噴き出した清浄空気２２は、該清浄空間１３の下方の下部開口３６より前記清浄空気２２が排出され、前記清浄空間１３は陽圧に保たれる。また、前記清浄空間１３の底板１１に多数の排気小孔２９を設けて清浄空気２２の一部を排気することにより、該清浄空間１３内の気流を本発明ストッカー内全面に浸透させる。
【００２２】
また、前記下部開口３６より排出した空気と同量の空気を、吸引開口２３から通気柵２４を通して吸引して、袋型粗塵フィルタ２５によって粉塵を捕集し、更に該袋型粗塵フィルタ２５より下流側に配設された脱臭材３０によって、前記袋型粗塵フィルタ２５で粉塵を捕集された空気と、前記排気小孔２９から排気された清浄空間１３内の空気とから臭気を除去し、然る後、通気空間１５を経て清浄空気供給部１９へ送気される。
【００２３】
前記のように、清浄空間１３からは下部開口３６を通して常に清浄空気２２が適量噴き出し、また排気小孔２９より少量の空気を排気して空気を循環させることにより、清浄空間１３の全域に清浄空気２２を充満させ、外気の侵入の心配はなく、吸引開口２３から通気柵２４を通して吸引した空気を、袋型粗塵フィルタ２５および脱臭材３０を通過させることにより、粗塵の捕集と、人体からの臭気も除去できる。
【００２４】
また更に、ガーメントＧの吊り下げ棒３４には、同一間隔を有して多数の凹部３３が形成されているので、該各凹部３３にそれぞれ一枚ずつのガーメントＧを吊り下げることにより、該各ガーメントＧは常に一定の間隔を有して吊り下げられ、互いに接触することがなく、各ガーメントＧの全体が清浄空気２２を浸透させつつ、保管することができる。
【実施例２】
【００２５】
次に、本発明の実施例２を図面に基づき説明する。実施例２は、実施例１と異なり、清浄空気供給部１９ａを構成する送風機１８ａを通気空間１５の下端部に設置したものであり、ガーメントストッカーの全高を実施例１のものに比べ低く抑えることができる。
【００２６】
すなわち、実施例２は、図５に示すように、送風機１８ａが、通気開口１６上に設置されたＨＥＰＡフィルタ１７ａとは分離して、通気空間１５の下端部に設置されて、清浄空気供給部１９ａを構成している。該送風機１８ａが、通気空間１５の下端部に設置されているため、実施例１に示すように、ＨＥＰＡフィルタ上に送風機が設置されないので、その分だけガーメントストッカーの全高を低く抑えることができる。なお、実施例２による作用は、実施例１のものとほぼ同一であるので、説明を省略する。
【図面の簡単な説明】
【００２７】
【図１】本発明ガーメントストッカーの実施例１を示す一部切り欠き正面図である。
【図２】同縦断面図である。
【図３】同斜視図である。
【図４】同要部の斜視図である。
【図５】本発明ガーメントストッカーの実施例２を示す一部切り欠き正面図である。
【符号の説明】
【００２８】
Ｇ      ガーメント
１      前面板
４      底板
６      ケーシング
７      前面側開口部
１１    底板
１２    天板
１３    清浄空間
１４    仕切板
１５    通気空間
１６    通気開口
１７・１７ａ    ＨＥＰＡフィルタ
１８・１８ａ    送風機  
１９・１９ａ    清浄空気供給部
２３    吸引開口
２５    袋型粗塵フィルタ
２９    排気小孔
３０    脱臭材
３３    凹部
３４    吊り下げ棒
３５    カーテン
３６    下部開口
【図１】
2008039270.tif 000003
【図２】
2008039270.tif 000004
【図３】
2008039270.tif 000005
【図４】
2008039270.tif 000006
【図５】
2008039270.tif 000007